(57)【要約】【課題】  使用者の手を煩わせずデータのバックアップが可能な携帯端末装置及びそのデータバックアップ方法を提供すること。【解決手段】  落下検知部１１は携帯電話装置１０の落下を検知すると、データ転送制御部１２に落下検知信号を送出し、データ転送制御部１２はその落下検知信号を受信すると、内部メモリ１３にデータの転送を行うよう指示し、内部メモリ１３はそのデータ転送指示を受けると、格納しているデータ転送プログラムにより、外部メモリ１４へデータを転送する。【選択図】  図１
2006163577.tif 000002
【特許請求の範囲】
【請求項１】
データを記憶する内部記憶手段と、
携帯端末装置の落下を検知する落下検知手段と、
前記落下検知手段により前記携帯端末装置の落下を検知した場合に、前記内部記憶手段に記憶されているデータを外部に転送するデータ転送手段と、
を備える携帯端末装置。
【請求項２】
請求項１記載の携帯端末装置であって、
前記携帯端末装置に着脱可能な外部記憶手段が接続される外部接続手段を更に備え、
前記データ転送手段は、前記携帯端末装置の落下を検知した場合に、前記内部記憶手段に記憶されているデータを前記外部記憶手段に転送する携帯端末装置。
【請求項３】
請求項１記載の携帯端末装置であって、
外部記憶手段と無線通信が可能な無線通信手段を更に備え、
前記データ転送手段は、前記携帯端末装置の落下を検知した場合に、前記内部記憶手段に記憶されているデータを、前記無線通信手段を介して前記外部記憶手段に転送する携帯端末装置。
【請求項４】
請求項３記載の携帯端末装置であって、
前記無線通信手段は、前記携帯端末装置の落下を検知した場合に、移動体通信網における無線基地局装置に前記データを転送する携帯端末装置。
【請求項５】
請求項１ないし３のいずれか一項記載の携帯端末装置であって、
前記データ転送手段は、あらかじめ定められた優先順位に従って前記内部記憶手段に記憶されているデータを転送する携帯端末装置。
【請求項６】
データを記憶する内部記憶手段を備えた携帯端末装置のデータバックアップ方法であって、
前記携帯端末装置の落下を検知するステップと、
前記携帯端末装置の落下が検知された場合に、前記内部記憶手段に記憶されているデータを外部に転送するステップと、
を有するデータバックアップ方法。
【発明の詳細な説明】
【技術分野】
【０００１】
本発明は、携帯端末装置及びそのデータバックアップ方法に関する。
【背景技術】
【０００２】
近年、携帯電話装置等の携帯端末装置が普及しており、携帯電話装置にあっては、通常、通話機能の他、電話帳保存機能やメール送受信機能等も備えている。このような携帯端末装置では、内部メモリを備えて電話帳データや送受信メールデータ等を保存している。
【０００３】
携帯端末装置は、使用者が常に携帯し、バック等からの出し入れが頻繁に行われるので、高所からの落下等による衝撃を受ける可能性がある。そして、このような衝撃は、携帯端末装置内部の電池等の異常を引き起こす場合がある。従来、衝撃力を加速度センサにより検知して、電池システムの異常判定を行うリチウム電池システムがあった（例えば、特許文献１参照）。
【特許文献１】特開平１１−４０２０５号公報
【発明の開示】
【発明が解決しようとする課題】
【０００４】
内部メモリに保存されているデータは、上述の衝撃により、失われてしまう可能性がある。データが失われる原因としては、与えられた衝撃により、内部メモリそのものが物理的に破壊されたり、携帯端末装置に備えられたデバイスの破壊や、電源や信号ライン等のパターンのショートや断線等に起因した過電圧・過電流等により電気的に破壊されたりすることが挙げられる。
【０００５】
しかしながら、上記従来の携帯電話装置にあっては、使用者がこの内部メモリに保存されているデータを失わないようにするため、内部メモリに保存されているデータを外部に転送することでバックアップしていたが、送受信メール等は、頻繁に追加されるため、そのデータに対してバックアップを取るのは面倒であるといった事情があった。
【０００６】
本発明は、上記従来の事情に鑑みてなされたものであって、使用者の手を煩わせずデータのバックアップが可能な携帯端末装置及びそのデータバックアップ方法を提供することを目的とする。
【課題を解決するための手段】
【０００７】
本発明の携帯端末装置は、データを記憶する内部記憶手段と、前記携帯端末装置の落下を検知する落下検知手段と、前記落下検知手段により前記携帯端末装置の落下を検知した場合に、前記内部記憶手段に記憶されているデータを外部に転送するデータ転送手段と、を備える。
【０００８】
この構成により、携帯電話装置の落下を検知すると、内部メモリが保存しているデータを外部に転送するので、使用者のデータの損失を防止することができ、使用者自身によるデータのバックアップを行わなくても、落下に起因したデータ損失の直前のデータを自動的にバックアップをとることができる。
【０００９】
また、本発明の携帯端末装置は、前記携帯端末装置に着脱可能な外部記憶手段が接続される外部接続手段を更に備え、前記データ転送手段は、前記携帯端末装置の落下を検知した場合に、前記内部記憶手段に記憶されているデータを前記外部記憶手段に転送する。
【００１０】
この構成により、携帯端末装置と着脱可能に接続された外部記憶手段にデータを転送してバックアップを取ることができる。
【００１１】
また、本発明の携帯端末装置は、外部記憶手段と無線通信が可能な無線通信手段を更に備え、前記データ転送手段は、前記携帯端末装置の落下を検知した場合に、前記内部記憶手段に記憶されているデータを、前記無線通信手段を介して前記外部記憶手段に転送する。
【００１２】
この構成により、無線通信により接続可能な外部記憶手段にデータを転送するので、衝撃を受けない外部記憶手段にデータのバックアップを取ることができる。
【００１３】
また、本発明の携帯端末装置において、前記無線通信手段は、前記携帯端末装置の落下を検知した場合に、移動体通信網における無線基地局装置に前記データを転送する。
【００１４】
この構成により、無線基地局装置にデータを送信することで、衝撃を受けない外部記憶手段にデータを転送することができる。
【００１５】
また、本発明の携帯端末装置において、前記データ転送手段は、あらかじめ定められた優先順位に従って前記内部記憶手段に記憶されているデータを転送する。
【００１６】
この構成により、重要性の高いデータを先に転送することができる。
【００１７】
本発明の携帯端末装置のデータバックアップ方法は、データを記憶する内部記憶手段を備えた携帯端末装置のデータバックアップ方法であって、前記携帯端末装置の落下を検知するステップと、前記携帯端末装置の落下が検知された場合に、前記内部記憶手段に記憶されているデータを外部に転送するステップと、を有する。
【００１８】
この方法により、携帯電話装置の落下を検知すると、内部メモリが保存しているデータを外部に転送するので、使用者のデータの損失を防止することができ、使用者自身によるデータのバックアップを行わなくても、落下に起因したデータ損失の直前のデータを自動的にバックアップをとることができる。
【発明の効果】
【００１９】
本発明によれば、使用者の手を煩わせずデータのバックアップが可能な携帯端末装置及びそのデータバックアップ方法を提供することができる。
【発明を実施するための最良の形態】
【００２０】
以下、本発明の実施形態に係る落下時のデータバックアップ機能を有する携帯端末装置について、図面を用いて説明する。なお、本発明の実施形態では、携帯端末装置の一例として、移動体通信網に接続可能な携帯電話装置を用いて説明する。ただし、本発明は、携帯電話装置に限られず、ＰＤＡ（Personal Digital Assistance）等、種々の携帯端末装置に適用可能である。
【００２１】
（第１の実施形態）
図１は、本発明の第１の実施形態に係る携帯電話装置の概略構成を示すブロック図である。図１に示すように、第１の実施形態の携帯電話装置１０は、携帯電話装置１０が落下することを検知する落下検知部１１と、携帯電話装置１０の落下を検知した場合に、携帯電話装置１０のデータを転送することを制御するデータ転送制御部１２と、電話帳や送受信したメールなどのデータを保存する内部メモリ１３と、外部メモリインタフェース１９を介して携帯電話装置１０と着脱可能な外部メモリ１４と、携帯電話装置１０の各部に電源を供給する電源部１５と、電源部１５と内部メモリ１３とを接続する配線パターン１６と、携帯電話装置１０の各部を制御する制御部１７と、制御部１７と内部メモリ１３とを接続する配線パターン１８と、を備える。
【００２２】
落下検知部１１は、落下検知手段の一例であり、加速度センサーや高度センサーなどの落下検知センサーを有し、携帯電話装置１０が落下したことを検知した場合に、落下検知信号を出力する。
【００２３】
データ転送制御部１２は、データ転送手段の一例であり、落下検知部１１からの落下検知信号を受信すると、内部メモリ１３に保存しているデータの転送を行うよう指示する。
【００２４】
内部メモリ１３は、内部記憶手段の一例であり、電話帳や送受信したメールなどのデータを保存する。また、外部メモリ１４へデータを転送するプログラム（データ転送手段の一例）も格納しており、データ転送制御部１２からのデータ転送指示を受けると、そのデータ転送プログラムにより、保存しているデータの転送を行う。
【００２５】
外部メモリ１４は外部記憶手段の一例であり、携帯電話装置１０と、外部接続手段の一例である外部メモリインタフェースを介して着脱可能に接続されたＳＤメモリカード等の小型メモリである。
【００２６】
以上のように構成された落下時のデータバックアップ機能を有する携帯電話装置１０について、図２に示すフローチャートに基づいてその落下時の動作を説明する。図２は、本発明の第１の実施形態の携帯電話装置の動作を説明するフローチャートである。なお、図２に示される例では、落下により携帯電話装置１０が破損する場合を説明する。
【００２７】
まず、処理が開始すると、落下検知部１１は、携帯電話装置１０が落下しているか否かを検知する（ステップＳ２０１）。携帯電話装置１０の落下を検知しなかった場合、ステップＳ２０１に戻って落下の検知を繰り返すことで、携帯電話装置１０が落下を監視する。
【００２８】
一方、ステップＳ２０１において、携帯電話装置１０が落下していることを検知した場合、落下検知部１１は、データ転送制御部１２に落下検知信号を出力し、携帯電話装置１０の落下を検知したことを通知し、データ転送制御部１２はその落下検知通知を受けると、内部メモリ１３にデータの転送を指示する（ステップＳ２０２）。
【００２９】
内部メモリ１３はデータ転送制御部１２からのデータ転送指示を受けると、格納しているデータ転送プログラムにより、内部メモリ１３に保存している電話帳や送受信したメールなどのデータを外部メモリ１４に転送する（ステップＳ２０３）。
【００３０】
携帯電話装置１０が落下して地面に衝突するなどをして、最大の衝撃を受け（ステップＳ２０４）、破損する（ステップＳ２０５）。ここで、衝撃によって、携帯電話装置１０の一部、例えば、内部メモリ１３、又は電源部１５あるいは制御部１７を構成するデバイス等、配線パターン等が破損する。配線パターン１６又は配線パターン１８が破損することにより、電源部１５あるいは制御部１７と内部メモリ１３との接続が切断され、内部メモリ１３が動作させることができなくなり、内部メモリ１３が保存しているデータも読み出すことができなくなる。
【００３１】
携帯電話装置１０から外部メモリを取り出し、取り出した外部メモリ１４からデータを抜き出す（ステップＳ２０６）。外部メモリ１４自体が衝撃によって破損しない限り、データは保存されているので、データは正常のまま抜き取ることができる。
【００３２】
以下、ステップＳ２０１において携帯電話装置１０が落下していることを検知してから、ステップＳ２０５において携帯電話装置１０が最大の衝撃を受け、破損するまでの間に外部メモリ１４に転送可能なデータ量の一例を計算する。なお、以下の計算例はあくまでも発明の一実施態様であって、個々の具体的数値に限定されるものではない。
【００３３】
まず、携帯電話装置１０の落下条件を、高さ３．０ｍからの自由落下とする。これより、携帯電話装置１０が落下開始から地面に衝突するまでの時間は、落下時間＝０．７８秒と計算される。
【００３４】
一方、携帯電話装置のアドレス帳、メール容量は、例えば、アドレス帳１件：５００バイト  メール１件（２５５文字）：６２４バイトとする。また、外部メモリの一例としてのＳＤメモリのデータ転送速度は２Ｍバイト／秒である。
【００３５】
これによって、携帯電話装置１０が落下開始から地面に衝突するまでの間に転送可能なデータ量は、
転送可能データ量＝２Ｍバイト／秒×０．７８秒＝１．５６Ｍバイト
となる。
【００３６】
ここで、アドレス帳５００件、メール１０００件を通常のユーザーの最大保存量と考えると、
最大保存量＝５００件×５００バイト＋１０００件×６２４バイト＝８７４Ｋバイト
であるので、携帯電話装置１０が落下開始から衝突するまでの間に、十分なデータ量を外部メモリへ転送することができる。
【００３７】
このような本発明の第１の実施形態における落下時のデータバックアップ機能を有する携帯電話装置によれば、落下検知部及びデータ転送制御部を設けることにより、携帯電話装置の落下を検知すると、内部メモリが保存しているデータを外部メモリに転送する。これによって、使用者のデータ類が壊れてしまうことを防止することができ、落下によって損失する直前のデータを自動的にバックアップをとることができる。
【００３８】
（第２の実施形態）
図３は、本発明の第２の実施形態に係る携帯電話装置の概略構成を示すブロック図である。同図において、第１の実施形態で説明した図１と重複する部分には同一の符号を付す。
【００３９】
第２の実施形態の携帯電話装置２０は、図１に示した第１の実施形態に係る落下時のデータバックアップ機能を有する携帯電話装置１０の構成において、外部メモリ１４の代わりに、送信部２１及びアンテナ２２を設け、図１に表示しなかった移動体通信網における無線基地局装置（以下、基地局）３０において、アンテナ３１及びデータ保存部３２を設けたものである。
【００４０】
無線通信手段の一例としての送信部２１は、アンテナ２２を介して内部メモリ１３から転送してきたデータを基地局３０に送信する。
【００４１】
基地局３０のデータ保存部３２は、アンテナ３１を介して落下時のデータバックアップ機能を有する携帯電話装置２０からのデータを受信し、保存する。
【００４２】
以上のように構成された落下時のデータバックアップ機能を有する携帯電話装置２０について、図４に示すフローチャートに基づいてその動作を説明する。
【００４３】
まず、処理が開始すると、落下検知部１１は、携帯電話装置２０が落下しているかを検知し（ステップＳ４０１）、携帯電話装置１０の落下を検知しなかった場合、ステップＳ４０１に戻って落下の検知を繰り返すことで、携帯電話装置１０が落下を監視する。
【００４４】
一方、ステップＳ４０１において、携帯電話装置２０が落下していることを検知した場合、落下検知部１１は、データ転送制御部１２に落下検知信号を出力し、携帯電話装置２０の落下を検知したことを通知し、データ転送制御部１２はその落下検知通知を受けると、内部メモリ１３にデータの転送を指示する（ステップＳ４０２）。
【００４５】
内部メモリ１３はデータ転送制御部１２からのデータ転送指示を受けると、格納しているデータ転送プログラムにより、内部メモリ１３が保存している電話帳などのデータを送信部２１へ転送し、送信部２１がアンテナ２２を介してそのデータを基地局３０に送信する（ステップＳ４０３）。
【００４６】
基地局３０はアンテナ３１を介して携帯電話装置２０からのデータを受信し（ステップＳ４０４）、データ保存部３２はその受信したデータを保存する（ステップＳ４０５）。
そして、携帯電話装置２０が落下して地面に衝突するなどをして、最大の衝撃を受ける（ステップＳ４０６）。
【００４７】
ステップＳ４０６において、携帯電話装置２０が最大の衝撃を受けると、破損する（ステップＳ４０７）。ここで、衝撃によって、携帯電話装置２０の一部、例えば、デバイス、配線パターンなどが破損する。
【００４８】
基地局３０のデータ保存部３２には、正常なデータが保存されていて、その基地局３０からデータを抜き出す（ステップＳ４０８）。
【００４９】
以下、ステップＳ４０１において携帯電話装置２０が落下していることを検知してから、ステップＳ４０７において携帯電話装置２０が最大の衝撃を受け、破損するまでの間に基地局３０に転送可能なデータ量の一例を計算する。なお、以下の計算例はあくまでも発明の一実施態様であって、個々の具体的数値に限定されるものではない。
【００５０】
まず、携帯電話装置２０の落下条件を、高さ３．０ｍからの自由落下とする。これより、携帯電話装置２０が落下開始から地面に衝突するまでの時間は、落下時間＝０．７８秒
と計算される。
【００５１】
そして、携帯電話装置２０から基地局３０への上りデータ転送速度は３８４ｋｂｐｓとすると、携帯電話装置２０が落下開始から地面に衝突するまでの間に転送可能なデータ量は、
転送可能データ量＝３８４ｋビット／秒×０．７８秒＝２９９．５２ｋビット＝３７．４４ｋバイト
となる。
【００５２】
アドレス帳のデータを転送する場合、
転送可能アドレス量＝３７．４４ｋバイト／５００バイト＝７４件
であり、メールを転送する場合、
転送可能メール量＝３７．４４ｋバイト／６２４バイト＝６０件
となる。
【００５３】
すなわち、携帯電話装置２０が落下開始から地面に衝突するまでの間に転送可能なデータ量は、７４件のアドレスあるいは６０件のメールのデータ量に相当し、このような量のデータがバックアップ可能である。
【００５４】
なお、携帯電話装置と基地局とのデータのやりとりには、携帯電話装置からの基地局装置への接続要求から始まり、基地局装置から携帯電話装置への確認応答等の様々な処理があり、実際のデータ転送開始までに時間が要する。
【００５５】
ただし、本実施形態のデータ転送は、緊急時の通常のデータ転送として、通常のデータ通信とは異なり、基地局に対する接続要求と同時にデータを送信する方法を採用してもよい。その結果、データは基地局の確認応答なしで送信されるものであるが、データ転送までの時間を短縮し、転送可能なデータ量を増やすことができる。
【００５６】
このような本発明の第２の実施形態における落下時のデータバックアップ機能を有する携帯電話装置によれば、落下検知部及びデータ転送制御部を設けることにより、携帯電話装置の落下を検知すると、内部メモリに保存しているデータを基地局に転送して、基地局のデータ保存部はそのデータを保存する。これによって、使用者のデータ類を損失してしまうことを防止することができ、データのバックアップをしなくても落下で壊れる直前のデータを自動的にバックアップをとることができる。また、無線通信を用いて携帯電話装置から離れた外部のメモリに保存するので、衝撃を受けない外部メモリにデータを転送することができる。
【００５７】
なお、データのバックアップ先は、基地局に限られるものではなく、無線通信可能な外部装置があれば、その外部装置に送信して、外部のメモリに保存してもよい。
【００５８】
なお、以上の説明では、データを転送する時、優先順位がなく転送する例について説明したが、内部メモリのデータ転送プログラムに、記憶しているデータに優先順位をあらかじめ設定し、データ転送を行ってもよい。例えば、電話帳を優先順位１にして、メールを優先順位２にして、その優先順位によって、データの転送順位を決めてもよい。また、メールのなかでも、さらに「保護／非保護、日付順、フォルダ順、受信のみ」など細かく順位を設定してもよい。
【００５９】
また、以上の説明では、外部メモリの例として、ＳＤメモリを使う場合を説明したが、本発明は、これに限定されたものではなく、ほかの小型メモリについても同様に実施可能である。
【産業上の利用可能性】
【００６０】
本発明の携帯端末装置及びそのデータバックアップ方法は、使用者の手を煩わせずデータのバックアップが可能な効果を有し、携帯電話装置等に有用である。
【図面の簡単な説明】
【００６１】
【図１】本発明の第１の実施形態に係る携帯電話装置の概略構成を示すブロック図
【図２】本発明の第１の実施形態の携帯電話装置の動作を説明するフローチャート
【図３】本発明の第２の実施形態に係る携帯電話装置の概略構成を示すブロック図
【図４】本発明の第２の実施形態の携帯電話装置の動作を説明するフローチャート
【符号の説明】
【００６２】
１０，２０  携帯電話装置
１１  落下検知部
１２  データ転送制御部
１３  内部メモリ
１４  外部メモリ
１５  電源部
１６，１８  配線パターン
１７  制御部
１９  外部メモリインタフェース
２１  送信部
２２，３１  アンテナ
３０  無線基地局装置
３３  データ保存部
【図１】
2006163577.tif 000003
【図２】
2006163577.tif 000004
【図３】
2006163577.tif 000005
【図４】
2006163577.tif 000006